(57)【特許請求の範囲】
【請求項１】
凹入した装着部を備えたハンドル本体と、前記装着部に装着されるキャップと、このキャップ裏面に突設された係止部材とが備わり、前記装着部には前記係止部材を係止して前記キャップの位置決めを行う係止部が設けられ、更に前記装着部に設けた取付け孔に固定具を介して前記ハンドル本体と弁装置の操作軸を連結するようにし、前記係止部と取付け孔夫々の周囲に液体浸入阻止用の隔壁が設けられていることを特徴とする水栓用ハンドルの水浸入防止構造。
【請求項２】
装着部の底面には排水口が形成されている請求項１記載の水栓用ハンドルの水浸入防止構造。
【請求項３】
装着部の底面は、排水を前記排水口へ誘引する傾斜面に形成されている請求項２に記載の水栓用ハンドルの水浸入防止構造。
【請求項４】
前記排水口は装着部底面基端部の横幅方向の左右２か所及び/又は中央１か所に設けられている請求項２又は請求項３のいずれかに記載の水栓用ハンドルの水浸入防止構造。
【請求項５】
中央の排水口がキャップ周縁に設けられたキャップ取外し用の切欠きである請求項４記載の水栓用ハンドルの水浸入防止構造。
【請求項６】
請求項１〜５のいずれか１項に記載の水栓用ハンドルの水浸入防止構造を備えた水栓用レバーハンドルであって、前記ハンドル本体はレバー部分を備え、且つ、前記装着部の傾斜した底面が当該水栓用レバーハンドルの上・下操作の下限限界姿勢であっても傾斜面であるようにした水栓用レバーハンドル。
【発明の詳細な説明】
【技術分野】
【０００１】
本発明は、例えばＡＢＳ樹脂等の合成樹脂製で、凹入した装着部を有するハンドル本体と前記凹入した装着部を閉止するためのキャップを備えた水栓用ハンドルの水浸入防止構造並びに水栓用レバーハンドルに関する。
【背景技術】
【０００２】
水栓用ハンドルや水栓用レバーハンドルには、キャップの裏面に前記ハンドル本体の前記装着部に係止されて前記キャップの位置決めを行う係止片が突設され、この係止片が前記ハンドル本体の上面に設けられた前記装着部の内面や底部に設けられた係止部に係止されるタイプのものがある。尚、前記装着部は、例えば弁装置の操作軸にネジを用いて前記ハンドル本体を固定するための部位であり、前記キャップはこの部位を閉止するためのものである。
【先行技術文献】
【特許文献】
【０００３】
【特許文献１】特開２００１−２１４４８１号公報
【特許文献２】特開２０１３−７２４７号公報
【特許文献３】特開２００３−２８３２１号公報
【特許文献４】特開２００２−３５６８８２号公報
【発明の概要】
【発明が解決しようとする課題】
【０００４】
上記先行技術文献に記載されたこの種水栓用ハンドルや水栓用レバーハンドルの従来構造は、何れもが前記装着部の底面に直にネジが螺合されていて、ネジ孔の上縁と前記装着部の底面は同一平面上にある。また、前記係止部は貫通孔になっていて、前記弁装置側に直に開放されている。そのため、前記キャップの上側から前記装着部に浸入した水滴や洗剤がねじ孔や係止部から簡単に前記弁装置側へ浸入してしまう。その結果、前記弁装置に水垢や洗剤などがこびりつき、作動不良をおこしたり、操作が重くなったりし、また、洗剤の種類によっては前記弁装置の劣化を早めたり、破壊を起こすおそれがある。
【０００５】
そこで本発明はこのような実情に鑑みて成されたものであり、その目的とするところは、水滴や洗剤がキャップ内に浸入してもこれを上手くハンドル本体の外に誘引して弁装置側への浸入を阻止し、もって常に軽快な弁操作が可能で、しかも、弁装置の劣化や破壊を的確に防止することができる水栓用ハンドルの水浸入防止構造並びに水栓用レバーハンドルを提供することを目的とする。
【課題を解決するための手段】
【０００６】
この目的を達成するために本発明に係る水栓用ハンドルの水浸入防止構造は、凹入した装着部を備えたハンドル本体と、前記装着部に装着されるキャップと、このキャップ裏面に突設された係止部材とが備わり、前記装着部には前記係止部材を係止して前記キャップの位置決めを行う係止部が設けられ、更に前記装着部に設けた取付け孔に固定具を介して前記ハンドル本体と弁装置の操作軸を連結するようにし、前記係止部と取付け孔夫々の周囲に液体浸入阻止用の隔壁が設けられている（請求項１）。
【０００７】
水栓用ハンドルの水浸入防止構造において、装着部の底面には排水口が形成されているのが望ましい（請求項２）。
【０００８】
また、水栓用ハンドルの水浸入防止構造において、装着部の底面は、排水を前記排水口へ誘引する傾斜面に形成されているのが望ましい（請求項３）。
【０００９】
更に、水栓用ハンドルの水浸入防止構造において、前記排水口は装着部底面基端部の横幅方向の左右２か所及び/又は中央１か所に設けられているのが望ましい（請求項４）。
【００１０】
また、水栓用ハンドルの水浸入防止構造において、中央の排水口がキャップ周縁に設けられたキャップ取外し用の切欠きであるのが望ましい（請求項５）。
【００１１】
また、上記の目的を達成するために本発明における水栓用レバーハンドルは、請求項１〜５のいずれか１項に記載の水栓用ハンドルの水浸入防止構造を備えた水栓用レバーハンドルであって、前記ハンドル本体はレバー部分を備え、且つ、前記装着部の傾斜した底面が当該水栓用レバーハンドルの上・下操作の下限限界姿勢であっても傾斜面であるようにした（請求項６）。
【発明の効果】
【００１２】
本発明の請求項１〜５に係る発明では、キャップ内に浸入する水滴や洗剤が弁装置側へ浸入するのを阻止し、常に軽快な弁操作が可能で、しかも、弁装置の劣化や破壊を防止でき、併せてキャップ内に浸入する水滴や洗剤を上手くハンドル本体の外に導き出し、弁装置の劣化や破壊を一層効果的に防止できる水栓用ハンドルが得られる。
【００１３】
即ち、キャップ内に浸入して装着部の底面に至った水滴や洗剤は前記係止部と取付け孔夫々の周囲に設けられた液体浸入阻止用の隔壁に堰き止められて、前記係止部と前記取付け孔内へ簡単には浸入することが出来ない。そして、装着部の傾斜した底面によって排水口へ誘引されてハンドル本体の外部へと上手く排出される。
【００１４】
従って、水滴や洗剤がキャップ内に浸入してもこれを上手くハンドル本体の外に導き出し、弁装置側への浸入を阻止し、もって常に軽快な弁操作が可能で、しかも、弁装置の劣化や破壊を的確に防止できる水栓用ハンドルを提供出来るに至った。
【００１５】
また、請求項２に係る発明では、装着部の底面には排水口が形成されているので、装着部に浸入してきた水滴や洗剤をこの装着部内に留めることなくハンドル本体の外へ誘引することができ、弁装置の劣化や破壊を一層的確に防止できる。
【００１６】
また、請求項３に係る発明では、装着部の底面は、水滴や洗剤を前記排水口へ誘引する傾斜面に形成されているので、装着部に浸入してきた水滴や洗剤を素早く排水口へと誘引し、排水の確実性を確保できる。
【００１７】
更に、請求項４に係る発明では、装着部の底面の水滴や洗剤の排水流路に応じて排水口を形成できるので、排水の確実性と効率を高めることができる。
【００１８】
また、請求項５に係る発明では、キャップ周縁に設けられたキャップ取外し用の切欠きが中央の排水口を兼ねるので、既存の構造を兼用でき、簡素な構造で、より廉価に提供できる。
【００１９】
更に、請求項６に係る発明では、請求項１〜５のいずれか１項に記載の水栓用ハンドルの水浸入防止構造を備えた水栓用レバーハンドルであって、前記ハンドル本体はレバー部分を備え、且つ、前記装着部の傾斜した底面が当該水栓用レバーハンドルの上・下操作の下限限界姿勢であっても傾斜面であるように構成されているので、装着部の底面はレバーハンドルが如何なる操作姿勢にあっても、常に傾斜面となり、装着部に浸入する水滴や洗剤を常に効率よく排水口へ誘引でき、装着部に浸入する水滴や洗剤が弁装置側への浸入するのを的確に阻止し、もって常に軽快な弁操作を可能にし、しかも、弁装置の劣化や破壊を的確に防止できる有用な水栓用レバーハンドルを提供できる。
【図面の簡単な説明】
【００２０】
【図１】本発明の実施形態の一例を示し、ハンドル本体からキャップを取り外した状態を示す説明斜視図である。
【図２】水栓用レバーハンドルの水浸入防止構造を含んだ水栓の上部部分構造を示し、キャップを取り付けた状態の、図１中Ｂ―Ｂ部分断面図である。
【図３】図１中Ａ―Ａ断面図である。
【図４】図１中Ｃ―Ｃ断面図である。
【図５】図１中Ｄ−Ｄ断面図である。
【図６】変形例を示し、図１に対応するハンドル本体からキャップを取り除いた状態を示す斜視図である。
【図７】図６中Ｅ―Ｅ断面図である。
【図８】図６中Ｆ―Ｆ断面図である。
【発明を実施するための形態】
【００２１】
以下、本発明をシングルレバー式の湯水混合栓の水栓用レバーハンドルに適用した場合の実施形態を図面の記載に基づいて説明する。
尚、本実施例は、シングルレバー式の湯水混合栓の水栓用レバーハンドルについて例示しているが、本発明はこれらに限定されるものではなく、特許請求の範囲を逸脱しない限りにおいて、当業者の知識に基づく種々の変更が可能である。
【００２２】
図１は本発明の水栓用レバーハンドルの水浸入防止構造を示し、ハンドル本体からキャップを取り外した状態を示す斜視図、図２は本発明の水栓用レバーハンドルの水浸入防止構造を含んだ水栓の、キャップを取り付けた状態を示す、上部部分断面図である。
本発明に係る水栓用レバーハンドル１は、図１に示すように、凹入した装着部２を備えると共に、レバー部分３を備えたハンドル本体４と、前記装着部２の開口を閉止するキャップ５と、このキャップ５の裏面に突設された係止部材としての係止片６とが備わり、前記装着部２には前記係止片６の先端に設けられた爪６Ａを係止して前記キャップ５の位置決めを行う係止孔７が設けられ、更に前記装着部２に設けた取付け孔としてのネジ孔８に固定具としてのネジ９を捻じ込むことで前記ハンドル本体４と弁装置１０（図２参照）の操作軸１１を連結固定するようにしたもので、更にその特徴的な構成は、前記係止孔７とネジ孔８夫々の周囲に液体浸入阻止用の隔壁１２が設けられた点にある。
【００２３】
水栓用レバーハンドル１は、水栓本体１３内に内蔵された摺動式の前記弁装置１０を操作するもので、前記レバー部分３を左右に回動操作すると、弁装置１０によって吐水温度の調節が行われ、上下に傾動操作すると、弁装置１０によって吐・止水の選択と水量調節が行われる。図２中１３０は前記水栓本体１３に接続される吐水管である。
【００２４】
更に詳細に説明する。
前記水栓用レバーハンドル１は、前記レバー部分３とハンドル本体４の上面が、レバー部分３の先端側をより上位に、ハンドル本体４側をより下位にして傾斜する面に形成されている。
【００２５】
前記装着部２は、図１に示すように、前記ハンドル本体４の上面を、その前記レバー部分３側から基端部である反対側の周縁４Ａに至る部位にわたって、半長円状の部分円弧部分２Ａの頂部を前記レバー部分３側に向かわせる形で、凹入させて設けられていると共に、ハンドル本体４の基端部である前記周縁４Ａで外方に開放されている。また、この装着部２の底壁２Ｂの前記レバー部分３側には前記半長円状の部分円弧部分２Ａと同芯にして前記ネジ孔８が穿設され、このネジ孔８の底面の中心部に下方に貫通する捻じ込み孔８Ａが設けられている。この捻じ込み孔８Ａに前記ネジ９を捻じ込み、前記ハンドル本体４と前記弁装置１０の前記操作軸１１を連結固定する。更に、前記ネジ孔８の下面からは下方の前記水栓本体１３側に向かって、下方開放で筒形の保持部１４が一体に垂下突設されていて、この保持部１４に前記操作軸１１が嵌入され、前記ネジ９を介して前記ハンドル本体４に一体駆動可能に保持される。
【００２６】
また、同じく前記装着部２の前記底壁２Ｂの、前記レバー部分３からより遠ざかった反対側に偏位した部位で、前記水栓用レバーハンドル１のレバー部分３からハンドル本体４の中心を通る中心線を挟んで左右対称位置に前記キャップ５の係止片６の前記爪６Ａを係止する平面視矩形の前記係止孔７が穿設されている。この係止孔７は、図３〜５に示すように、ハンドル本体４を貫通して、下方の前記弁装置１０側に開放された貫通孔となっている。そして、図２に示すように、前記係止片６の爪６Ａがこの係止孔７の下面周縁に係止されることで、前記キャップ５の装着部２の閉塞作用姿勢が保たれる。
【００２７】
更に、図１〜５に示すように、前記左右一対の係止孔７とネジ孔８の周囲は前記底壁２Ｂから上方へ所定寸法で一体に立ち上がり、且つ、一連に連なる起立片で構成される前記隔壁１２で囲繞されている。この隔壁１２が液体浸入阻止用の隔壁となる。図例では、係止孔７に対してはそれぞれ独立して四周が囲繞される構成を採用したが、ネジ孔８周りは装着部２の相似形形状の隔壁１２で囲繞され、レバー部分３の反対側の辺が前記ネジ孔８の隔壁１２と共用されるようにして設けられている。即ち、前記レバー部分３側は半円状を呈して囲繞され、更にこの半円状の左右それぞれの端部がレバー部分３の反対側にストレートに延長されて、前記係止孔７のそれぞれの左右横側の隔壁１２に一体に連なる形で構成されている。
【００２８】
従って、前記隔壁１２と装着部２の底壁２Ｂ並びに内周壁２Ｃによって、排水流路１５が形成されることになる。
【００２９】
また、前記キャップ５は、図１に示すように、平面視で前記装着部２の平面形状と同じ半長円状を呈していて、その裏面からは前記係止片６の他に、レバー部分３側に偏倚させた部位に、頂点をレバー部分３側に向けた半円状を呈した位置規制片１６が一体に垂下連設されている。この位置規制片１６は、大きさ並びに突出寸法が前記ネジ孔８に嵌入出来るように寸法設定されていて、垂下下端を前記ネジ孔８内に嵌入することで、前記係止片６と協働してこのキャップ５の取り付け位置を規制するように働く。また、この位置規制片１６の前記レバー部分３側の頂部部位には、このレバー部分３側に向かってほぼ水平姿勢で前方突起１７が一体に突設されている。一方、図１、３に示すように、前記装着部２の前記レバー部分３側の内周壁（部分円弧部部分）２Ｃにはこれを貫いて穿設された差し込み孔１８が設けられていて、この差し込み孔１８に前記キャップ５の前方突起１７を嵌入させることで、前記係止片６と協働してキャップ５による装着部２の閉塞作用姿勢を確保するように構成されている。更に、図１に示すように、キャップ５の前記レバー部分３とは反対側の周縁５Ａ下面からは下方へ一体に遮蔽壁１９が垂下連設されている。この遮蔽壁１９は下端縁が前記装着部２の基端部の底壁２Ｂに水密的に当接され、装着部２内とハンドル本体４の外部とを遮蔽するように働く。そして、更にこの遮蔽壁１９の左右方向の中央部分にはこの遮蔽壁１９を左右に分断するようにして、排水口２０としての切欠きが設けられていて、この切欠きである前記排水口２０を介して前記装着部２内部空間、つまりは前記排水流路１５がハンドル本体４、即ち水栓用レバーハンドル１の外部に連通開放されるように構成されている。
【００３０】
本発明のもう一つの特徴的な構成は、前記排水流路１５が傾斜している点である。
即ち、装着部２の底壁２Ｂは、図２に示すように、前記部分円弧部分２Ａ側からハンドル本体４の前記レバー部分３の存在側とは反対側の周縁４Ａ、即ち基端部に向かうほどより低位にあるように傾斜面に構成されている。この傾斜面は、水栓用レバーハンドル１が、その吐・止水のための上下操作の下限限界姿勢にあっても、常にハンドル本体４の基端部の前記排水２０側が下位にあるように構成されている。即ち前記レバー部分３の存在側とは反対側で前記キャップ５の前記排水口２０を設けてある側が、ハンドル本体４のどのような作用姿勢にあっても、常に下位にあるように傾斜するように構成されているのである。
【００３１】
このように構成された本発明に係る水栓用レバーハンドル１の水浸入防止構造によれば、前記キャップ５の周縁と装着部２の上縁の隙間から装着部２内に浸入してくる水滴や洗剤は装着部２の内周壁２Ｃを伝って底壁２Ｂに至る。従来構造であれば前記係止孔７やネジ孔８から弁装置１０側へ更に浸入しようとするが、本発明ではこれら係止孔７並びにネジ孔８の周囲は液体浸入阻止用の隔壁１２で囲繞されているので、これら係止孔７並びにネジ孔８内への水滴や洗剤の浸入が確実に阻止される。しかも、装着部２の底壁２Ｂの傾斜は、水栓用レバーハンドル１が、その吐・止水のための上下操作の下限限界姿勢にあっても、ハンドル本体４の前記排水口２０側、即ち前記キャップ５の切欠き存在側が常に下位にあるように構成されているために、浸入した水滴や洗剤は，水栓用レバーハンドル１が如何なる姿勢にあっても、この傾斜によって素早く、また的確に前記排水口２０へと誘引されることになる。そして、この遮蔽壁１９に至った水滴や洗剤は遮蔽壁１９の内面に沿ってその中央側へと案内され、最終的にはこの遮蔽壁１９に設けられた前記排水口２０から水栓用レバーハンドル１の外へと効率良く排出される。
【００３２】
このように、弁装置１０側への水滴や洗剤の浸入を的確に、また効率良く、しかも確実に阻止し、併せて効率よく、しかも的確にハンドル本体４から外部へ排出することができるので、常に軽快な弁操作が可能で、しかも、弁装置の劣化や破壊を的確に防止することができる。
【００３３】
次に、上記の水栓用レバーハンドルの水浸入防止構造の変形例を、図６〜８の記載に基づいて詳述する。
上記図１〜５に示した実施例では、前記キャップ５に設けた前記排水口２０としての切欠きが、前記遮蔽壁１９の左右方向の中央部分に設けられた例を示したが、本実施例では、前記遮蔽壁１９の左右に夫々切欠きが設けられている。
【００３４】
前記排水流路１５は装着部２の相似形をした前記隔壁１２で囲繞されることから、排水流路１５は左右一対存在することになる。上記図１〜５に示した実施例の構造では、前記遮蔽壁１９に至った水滴や洗剤は、一度この遮蔽壁１９の中央部へと案内され、中央の一か所の前記排水口２０から外部へ排出される。従って、浸入量が多い場所等では、一部の水滴や洗剤が、前記係止孔７の間に存在する底壁２Ｂ部分に一時的に留まる傾向がみられる。しかし、この変形例によれば、左右の排水流路１５の流下終端に前記排水口２０が夫々開口存在しているので、排水流路１５を流下する水滴や洗剤はその流れを阻害されることなく、スレートに、スムーズに水栓用レバーハンドル１の外へ排出され、一層効率の良い排出が可能となる。
【００３５】
前記排水口２０は、図１〜５に示す例では中央１か所、また、図６〜８に示す例では左右２か所に設けた例を示したが、必要に応じて中央１か所と左右２か所の都合３か所に設けるようにしても良い。一層効率の良く、また、一層スムーズに水滴や洗剤を水栓用レバーハンドル１の外へ排出できるからである。また、変形例として、図示しないが、係止孔７とネジ孔８とが夫々独立別個に隔壁１２で囲繞されるようにした構成も採用できる。
【産業上の利用可能性】
【００３６】
以上説明した各実施例は、必ずしも図示する構造に限定されるものではなく、示された個々の構造、形状は発明の趣旨と矛盾しない範囲で相互に組み合わせたり、援用したりすることができる。また、本発明における水栓用ハンドルの排水構造は、以上のシングルレバー式の湯水混合栓の水栓用レバーハンドルの他、例えば弁装置の操作軸が仮想鉛直線に沿って配される回転式の水栓用ハンドル等にも適用される。
【符号の説明】
【００３７】
１…水栓用レバーハンドル
２…装着部
２Ａ…部分円弧部分
２Ｂ…底壁
２Ｃ…内周壁
４…ハンドル本体
５…キャップ
６…係止片
６Ａ…係止爪
７…係止孔
８…ネジ孔
９…ネジ
１０…弁装置
１１…操作軸
１２ …隔壁
１５…排水流路
２０…排水口
【図１】
0006651247.tif 000002
【図２】
0006651247.tif 000003
【図３】
0006651247.tif 000004
【図４】
0006651247.tif 000005
【図５】
0006651247.tif 000006
【図６】
0006651247.tif 000007
【図７】
0006651247.tif 000008
【図８】
0006651247.tif 000009